(57)【要約】【課題】伝票片を剥離しやすく、広告機能などをも有する伝票用シートを提供する。【解決手段】  上紙と基材とが積層された伝票用シートであって、上紙が剥離可能な伝票片と、その周縁に位置して剥離不能な余白部とを有し、伝票片をめくることにより、基材の一部である分離領域が伝票片側に貼付された状態で、伝票片裏面の粘着剤により被着体に貼付可能となり、かつ、伝票片を切り取り補助線で切り離すと、分離領域が露出される伝票用シートにより解決される。【選択図】図１
2010179600.tif 000002
【特許請求の範囲】
【請求項１】
基材に対して上紙が貼合されている伝票用シートであって、
前記上紙は、輪郭切り取り補助線で囲まれる伝票片とその周縁に位置する余白部とを有し、
前記伝票片は、その一部に切り取り補助線で囲まれる分離票を有し、かつ、裏面の分離票を除く範囲に粘着部を有し、
前記基材は、粘着部に対向する部分が上紙に対して剥離可能とされかつ伝票片に重なる位置に形成された裏面から表面まで到達する輪郭ハーフカット線により、他の部分から分離可能とされた分離領域を有し、
前記分離領域は、前記分離票とその外方位置とに重なる位置にあり、
伝票片をめくることにより、前記分離領域が伝票片側に貼付された状態で、伝票片裏面の粘着剤により被着体に貼付可能となり、かつ、分離票を切り取り補助線で切り離すと、分離領域が露出されることを特徴とする、ことを特徴とする伝票用シート。
【請求項２】
前記余白部は、少なくとも一部において基材に対して剥離不能に接着されている請求項１記載の伝票用シート。
【請求項３】
分離領域の分離票に対面する部位に情報が印刷されている請求項１又は２記載の伝票用シート。
【請求項４】
分離票は、前記分離領域に対してその一部又は全部において、剥離可能に疑似接着されている請求項１又は２記載の伝票用シート。
【請求項５】
分離領域は、分離票よりも外方に位置する部位の少なくとも一部において、伝票片に対して剥離不能に接着している請求項１又は２記載の伝票用シート。
【請求項６】
前記余白部に、伝票片内の情報に対応する照合情報が配されている請求項１又は２記載の伝票用シート。
【発明の詳細な説明】
【技術分野】
【０００１】
本発明は、宛先情報等を記入して配送品に貼付して用いる伝票用シートに関し、特に、ノンインパクトプリンタを用いた印字・印刷に適した伝票用シートに関する。
【背景技術】
【０００２】
従来、ノンインパクトプリンタによる情報記入を容易にした伝票用シートとして、上紙と基材とが剥離可能に貼合され、上紙に伝票部等の各種情報記入部を配した伝票用シートが知られている。
【０００３】
この種の伝票では、上紙のほぼ全面に粘着剤が塗布されているとともに、基剤が離型処理されていたり、又は剥離紙により構成されているなどして、上紙と基材とを分離して、上紙の粘着塗布部分を露出させ、被着体に貼付可能となるように構成されている。
【０００４】
そして、この種の伝票用シートにおいては、上紙を基材よりも大きくするとともに、その基材と重ならない部分に、切り取り補助線を介して配送票以外の返品票や明細票等を一体としたものも知られる。
【０００５】
しかし、従来のこの種の伝票では、他の部分を分離した後に基材を剥離する必要があるとともに、下基材の全部を剥がすにあたって、情報記入欄のない裏面側からめくることになるため、分離した明細表との照合作業が煩雑となるなどの問題点があった。
【０００６】
他方、近年、上紙、中間基材、下基材を貼合した三層構造の伝票用シートも普及してきている。この種の三層構造の伝票用シートは、上紙に伝票部や明細部など切り取り線で囲まれた適宜の領域が設けられているとともに中間基材表面と疑似接着されており、さらに中間基材裏面に粘着剤部を配して、これと対面する下基材の表面は離型処理されるなどして中間基材と剥離可能に構成されている。そして、使用にあたっては、下基材を剥離して中間基材裏面の粘着部を介して被着体に貼付するとともに、上基材の適宜領域を中間基材から必要に応じて切り離して使用する。
【０００７】
この伝票用シートは、比較的平坦であることからノンインパクトプリンタによる印刷性は上述の例よりも優れるが、三層構造であるがゆえに紙厚が厚くなり、コストも高くなるという欠点がある。
【先行技術文献】
【特許文献】
【０００８】
【特許文献１】特開２００５−１３２０１２公報
【特許文献２】特開平６−２３９０５８公報
【特許文献３】特開２００４−３４１４０４公報
【特許文献４】特開２００２−１２７６４４公報
【発明の概要】
【発明が解決しようとする課題】
【０００９】
そこで、本発明の主たる課題は、ノンインパクトプリンタによる高速な印字・印刷に適した構造であるとともに、配送票とそれ以外の部分と照合作業が容易に行える伝票用シートを提供することにある。また、他の課題は、伝票用シートの限られた紙面を有効に活用して使用者に提供する情報量を増加させることにある。
【課題を解決するための手段】
【００１０】
上記課題を解決した本発明は次記のとおりである。
＜請求項１記載の発明＞
基材に対して上紙が貼合されている伝票用シートであって、
前記上紙は、輪郭切り取り補助線で囲まれる伝票片とその周縁に位置する余白部とを有し、
前記伝票片は、その一部に切り取り補助線で囲まれる分離票を有し、かつ、裏面の分離票を除く範囲に粘着部を有し、
前記基材は、粘着部に対向する部分が上紙に対して剥離可能とされかつ伝票片に重なる位置に形成された裏面から表面まで到達する輪郭ハーフカット線により、他の部分から分離可能とされた分離領域を有し、
前記分離領域は、前記分離票とその外方位置とに重なる位置にあり、
伝票片をめくることにより、前記分離領域が伝票片側に貼付された状態で、伝票片裏面の粘着剤により被着体に貼付可能となり、かつ、分離票を切り取り補助線で切り離すと、分離領域が露出されることを特徴とする、ことを特徴とする伝票用シート。
【００１１】
＜請求項２記載の発明＞
前記余白部は、少なくとも一部において基材に対して剥離不能に接着されている請求項１記載の伝票用シート。
【００１２】
＜請求項３記載の発明＞
分離領域の分離票に対面する部位に情報が印刷されている請求項１又は２記載の伝票用シート。
【００１３】
＜請求項４記載の発明＞
分離票は、前記分離領域に対してその一部又は全部において、剥離可能に疑似接着されている請求項１又は２記載の伝票用シート。
【００１４】
＜請求項５記載の発明＞
分離領域は、分離票よりも外方に位置する部位の少なくとも一部において、伝票片に対して剥離不能に接着している請求項１又は２記載の伝票用シート。
【００１５】
＜請求項６記載の発明＞
前記余白部に、伝票片内の情報に対応する照合情報が配されている請求項１又は２記載の伝票用シート。
【発明の効果】
【００１６】
本発明によれば、ノンインパクトプリンタによる高速な印字・印刷に適した構造であるとともに、配送票とそれ以外の部分と照合作業が容易に行え、しかも、使用者に提供する情報量を増やすことができる伝票用シートが提供される。
【図面の簡単な説明】
【００１７】
【図１】第１の実施形態の伝票用シートの平面図であるとともに、上紙の表面を示す図である。
【図２】第１の実施形態の伝票用シートの裏面図であるとともに、基材の裏面を示す図である。
【図３】図１のＡ−Ａ断面図である。
【図４】第１の実施の形態の他の例の伝票用シートの平面図である。
【図５】本発明の伝票用シートの使用方法を説明するための図である。
【図６】第２の実施の形態の伝票用シートを説明するための断面図である。
【図７】第３の実施の形態の伝票用シートの平面図である。
【図８】図７のＢ−Ｂ断面図である。  本発明の伝票用シートの使用方法を説明するための図である。
【発明を実施するための形態】
【００１８】
次いで、本発明の実施形態を図１〜８を参照しながら以下に詳述する。
『第１の実施の形態』
本形態の伝票用シートＸ１は、上紙１と基材２とを有する２層構造をなしている。
前記上紙１は、輪郭切り取り補助線Ｌ１で囲まれる矩形の伝票片１０とその周縁に位置する余白部１１とを有する。図１〜３に示す例では、伝票片１０を取り囲むように伝票片１０の全周縁外方に余白部１１が存在しているが必ずしもこの例に限らず、一部に余白部１１を有する形態であってもよい。すなわち、図４に示すように輪郭切り取り補助線Ｌ１の一部が伝票用シートＸ１の周縁を兼ねる態様であってもよい。
【００１９】
なお、輪郭切り取り補助線Ｌ１は、当該線に沿って切断されるように配した、ミシン目線、ジッパーミシン目線、ハーフスリット線などであり、最も好ましい輪郭切り取り補助線Ｌ１は、簡易に切断されるハーフスリット線である。なお、本例では、矩形に囲まれる伝票片の適宜の部のコーナーが小三角状にカットされた所謂コーナーカット５０が施されており、切り取り開始端として当該コーナーが摘みやすくなっている。
【００２０】
他方、前記余白部１１においても上紙１と基材とは接着部１２により粘着している。この余白部における上紙と基材とは剥離可能であっても、剥離不能であってもよい。但し、少なくとも一部において基材２に対して剥離不能に接着されているのがよい。余白部１１における接着部分１２を設ける場合には、伝票片１０を囲むようにあるのがよく、点在していてもよいし、線状に存在していてもよい。図示例のように余白部１１のほぼすべての部分が接着されている形態やすべての部分が接着されている形態もあり得る。
【００２１】
余白部１１において上紙１と基材２とを剥離不能に接着するにあたっては、既知の非剥離性接着剤や粘着剤を用いることができる。この接着剤等は、印刷技術、塗工技術により上紙裏面若しくは基材表面に配することができる。
【００２２】
他方、前記伝票片１０は、その一部に切り取り補助線Ｌ２で囲まれる分離票１０Ａを有する。ここでの切り取り補助線Ｌ２も、輪郭切り取り補助線Ｌ１と同様にミシン目線、ジッパーミシン目線、ハーフスリット線などが採用できるが、少なくとも輪郭切り取り補助線より切断し難いのが望ましく、好ましくはミシン目線、特に好ましくは一定方向のみに切断しやすいジッパーミシン目線である。
【００２３】
また、伝票片１０は、例えば、フレキソ印刷、オフセット印刷、グラビア印刷等の既知の印刷技術により枠欄や当該枠内に記載すべき情報を指定する表示等の不変情報を印刷することで、分離票１０Ａ部分が第１情報記入部を有する受領証とされ、その他の部分１０Ｂが同様の印刷技術によって、第２情報記入部を有する配送票とされる。なお、伝票片１０における分離票１０Ａ及びその他の部分１０Ｂにおける不変情報は適宜のものとされ、伝票片１０全体として伝票機能を有するように不変情報が印刷などにより形成されていればよく、本願発明においてその不変情報は限定されるものではない。
【００２４】
さらに、伝票片１０は、基材１に対面する裏面側における分離票１０Ａを除く範囲に粘着部１３を有している。この粘着部１３は、例えば、ホットメルト粘着剤、アクリル系粘着剤、天然ゴム系粘着剤、合成ゴム系粘着剤、シリコーン系粘着剤等の既知の粘着剤が層状、薄膜状、網目状に配されてなる部分であり、適宜の粘着力を有して、伝票用シートを配送品に貼付するためのものである。粘着部１３の層厚は、特に限定されない。通常は、１０〜５０μｍ、好ましくは２０〜３０μｍ程度である。１０μｍ以下だと粘着力が不足する恐れがあり、５０μｍ以上になると粘着剤が基材等からはみ出す恐れがある。なお、上記掲げた粘着剤のなかで最も好ましいのは乾燥性に優れるホットメルト粘着剤である。
【００２５】
他方、基材２は、少なくとも粘着部１３に対向する部分には離型処理されるなどしており、上紙１の伝票片１０は基材２に対して分離可能となっている（図中、離型処理部分を符号１４で示す）。ここで、分離可能とする離型処理としては、例えば、基材２の粘着部対向面をシリコーン、長鎖アルキルポリマー、ポリオレフィン、アルキド樹脂、フッ素化合物等の離型剤を層状、薄膜状、網目状に配するなどすればよい。このような離型剤を配するには、既知の印刷技術や塗工技術が採用できる。また、基材２を剥離紙とすることでも上紙１の伝票片１０を剥離可能とすることができる。
【００２６】
なお、本発明においては、上述の余白部１１において上紙１を基材２に対して剥離不能にするための接着剤等と粘着部１３を形成する接着剤等が同じものであってもよい。すなわち、余白部１１における接着部分１２と粘着部１３とは同一の粘着剤等による粘着剤層とされ、余白部１１に対面する基材裏面の全部又は適宜の部位を離型処理等しない非剥離性とした態様であってもよい。
【００２７】
他方、基材２には、裏面から表面まで到達する輪郭ハーフカット線Ｌ３により、他の部分から分離可能とされた分離領域２０を有する。そして、この分離領域２０は、前記分離票１０Ａとその周縁外方位置とに重なる位置にある。すなわち、分離領域２０の一部は、前記分離票１０Ａに対面する位置にあるとともに、その他の一部は粘着部１３と重なる位置にある。なお、分離領域は、分離票よりも大きい範囲であるのが望ましいが、必ずしも大きい必要はない。また、分離領域の少なくとも分離票対向面は離型処理しないのが望ましい。
【００２８】
ここで、分離領域２０は、分離票１０Ａよりも外方に位置する部位の少なくとも一部において、伝票片１０に対して剥離不能に接着されているのが望ましい。
なお、本形態では、基材２は、基本的には裏面に粘着部を有さないのが望ましい。
【００２９】
以上の構成をとることにより、本発明の伝票用シートＸ１では、図５（ａ）に示されるように、上紙１の伝票片１０内における分離票（受領証）１０Ａ及びその他の部分（配送票）１０Ｂにプリンタによって宛名などの必要な可変情報を印刷した後に、図５（ｂ）に示されるように、伝票片１０をめくることにより、輪郭切り取り補助線Ｌ１及び輪郭ハーフカット線Ｌ３が切断される。
【００３０】
このとき、基材２の分離領域２０の一部が分離票周縁外方と重なっているため、当該分離票は伝票片１０側に貼付された状態で、伝票片１０が他の部分から分離される。この状態においては、伝票片１０の裏面の粘着部１３が露出されるので被着体Ｄに貼付可能となる。
【００３１】
さらに、図５（ｃ）に示すように、伝票片１０を被着体Ｄに貼付した後に、図５（ｄ）に示すように、切り取り補助線Ｌ２で分離票１０Ａを切り離すと、基材２の一部であった分離領域２０が露出される。
【００３２】
ここで、本発明では、このように被着体Ｄに貼付した状態で分離票１０Ａを切り離した後に、基材２の一部である分離領域２０が露出される。
【００３３】
したがって、この分離領域２０には、不変情報を印刷などにより設けるのが望ましい。この不変情報としては、例えば、配達者の連絡先や、商品広告、クーポン券情報など適宜の情報とすることができる。本発明では、この情報の種類については限定されない。なお。不変情報の形成は、既知の印刷技術によることができる。
【００３４】
なお、図示はしないが、分離領域にクーポン券情報を配する場合などにおいては、好ましく分離領域の当該クーポン券情報部分を切り取り可能とする切り取り補助線を設けるのが望ましい。この場合の切り取り補助線は、ミシン目線、中でもジッパーミシン目線が望ましい。
【００３５】
『第２の実施の形態』
次いで、第２に実施の形態の伝票用シートＸ２について、図６を参照しながら説明する。本形態の伝票用シートＸ２は、伝票片１０における分離票１０Ａが、基材２の分離領域２０に対して、その一部又は全部において、剥離可能に疑似接着されている例である。なお、第１の実施の形態Ｘ１と同様である構造及び使用方法については説明が重複するため省略する。また、本形態は平面図及び裏面図は第１の実施の形態と同様であるのでこれも省略する。
【００３６】
第１の実施の形態Ｘ１では、分離票１０Ａと分離領域２０とは非接着の状態であり、実質的に分離票１０が基材２から浮いた状態となる。本第２の形態Ｘ２では、図６に断面図（断面位置は図１のA-A部位と同様）示すように、分離票１０Ａと基材２の分離領域２０とが疑似接着されている。
【００３７】
図示例では、分離票１０Ａと基材２の分離領域２０との間に疑似接着剤層１５が形成され、分離票１０Ａの分離時にこの疑似背着剤層１５が層間剥離するように構成され、剥離可能かつ再接着不能に疑似接着している。なお。疑似接着剤の種類あるいは擬似接着の方法は本発明では特に限定されない。圧着により一時的に接着し、剥離後に再接着しなくなる圧着接着剤を用いてもよい。さらに、これに限定されず、この分離領域と伝票片との間に剥離可能に一時的に接着し、剥離後に再接着しないように構成した既知の接着構造、例えば糊殺しを採用することができる。
【００３８】
本例Ｘ２では、伝票片１０が被着体に貼付され、分離票１０Ａが剥離されるまで基材２の分離領域２０と当該分離票１０Ａとが一体的であるため、意図せず分離票１０Ａが分離してしまう事故がより防止される。
【００３９】
『第３の実施の形態』
次いで、第３の実施の形態の伝票用シートＸ３を図７及び８を参照しながら説明する。
第１の実施の形態Ｘ１及び第２の実施の形態Ｘ２は、実質的に上紙１と基材２とが同一の大きさとされており、プリンタの搬送性において好適であるが、本発明はこのような形態に限られない。例えば、上紙１、基材２の何れかが一方より大きい形態であってもよい。
【００４０】
この形態を第３の実施の形態の伝票用シートＸ３として説明する。なお、第１の実施の形態Ｘ１及び第２の実施の形態Ｘ２と同様又は重複して適用される構造及び使用方法については説明を省略する。
【００４１】
本形態Ｘ３は、例えば、図７及び図８に示すように、上紙１が基材２より大きくされて、余白部１１が広くされている。そして、この余白部１１に、伝票片１０Ａに対応する照合情報１０Ｃが印刷されている。
【００４２】
本形態Ｘ３では、この照合情報１０Ｃを含む余白部１１の一部が切り取り補助線Ｌ４によって分離可能となっている。照合情報１０Ｃは、例えば、伝票片１０に配した受領証１０Ａや配送票１０Ｂを構成するための不変情報に対応する情報であり、例えば発送者控えなどが挙げられる。この照合情報１０Ｃもまた、既知の印刷技術によって、枠欄などを印刷することで形成することができる。この本形態では、発送者控えを容易にとることができる利点がある。
【産業上の利用可能性】
【００４３】
本発明は、配送品に貼付して用いる伝票用シートに利用可能できる。
【符号の説明】
【００４４】
１…上紙、２…基材、２０…分離領域、１０…伝票片、１０Ａ…分離票（受領証）、１０Ｂ…伝票片の分離票以外の部分（配送票）、１０Ｃ…照合情報部、１１…余白部、１２…接着部分、１３…粘着部、１４…離型処理部分、１５…疑似接着剤層、５０…コーナーカット、Ｌ１…輪郭切り取り補助線、Ｌ２，Ｌ４，Ｌ５…切り取り補助線、Ｌ３…輪郭ハーフカット線、Ｄ…被着体、Ｘ１〜Ｘ３…伝票用シート。
【図１】
2010179600.tif 000003
【図２】
2010179600.tif 000004
【図３】
2010179600.tif 000005
【図４】
2010179600.tif 000006
【図５】
2010179600.tif 000007
【図６】
2010179600.tif 000008
【図７】
2010179600.tif 000009
【図８】
2010179600.tif 000010
【手続補正書】
【提出日】平成21年10月20日(2009.10.20)
【手続補正１】
【補正対象書類名】明細書
【補正対象項目名】全文
【補正方法】変更
【補正の内容】
【発明の詳細な説明】
【技術分野】
【０００１】
本発明は、宛先情報等を記入して配送品に貼付して用いる伝票用シートに関し、特に、ノンインパクトプリンタを用いた印字・印刷に適した伝票用シートに関する。
【背景技術】
【０００２】
従来、ノンインパクトプリンタによる情報記入を容易にした伝票用シートとして、上紙と基材とが剥離可能に貼合され、上紙に伝票部等の各種情報記入部を配した伝票用シートが知られている。
【０００３】
この種の伝票では、上紙のほぼ全面に粘着剤が塗布されているとともに、基剤が離型処理されていたり、又は剥離紙により構成されているなどして、上紙と基材とを分離して、上紙の粘着塗布部分を露出させ、被着体に貼付可能となるように構成されている。
【０００４】
そして、この種の伝票用シートにおいては、上紙を基材よりも大きくするとともに、その基材と重ならない部分に、切り取り補助線を介して配送票以外の返品票や明細票等を一体としたものも知られる。
【０００５】
しかし、従来のこの種の伝票では、他の部分を分離した後に基材を剥離する必要があるとともに、下基材の全部を剥がすにあたって、情報記入欄のない裏面側からめくることになるため、分離した明細表との照合作業が煩雑となるなどの問題点があった。
【０００６】
他方、近年、上紙、中間基材、下基材を貼合した三層構造の伝票用シートも普及してきている。この種の三層構造の伝票用シートは、上紙に伝票部や明細部など切り取り線で囲まれた適宜の領域が設けられているとともに中間基材表面と疑似接着されており、さらに中間基材裏面に粘着剤部を配して、これと対面する下基材の表面は離型処理されるなどして中間基材と剥離可能に構成されている。そして、使用にあたっては、下基材を剥離して中間基材裏面の粘着部を介して被着体に貼付するとともに、上基材の適宜領域を中間基材から必要に応じて切り離して使用する。
【０００７】
この伝票用シートは、比較的平坦であることからノンインパクトプリンタによる印刷性は上述の例よりも優れるが、三層構造であるがゆえに紙厚が厚くなり、コストも高くなるという欠点がある。
【先行技術文献】
【特許文献】
【０００８】
【特許文献１】特開２００５−１３２０１２公報
【特許文献２】特開平６−２３９０５８公報
【特許文献３】特開２００４−３４１４０４公報
【特許文献４】特開２００２−１２７６４４公報
【発明の概要】
【発明が解決しようとする課題】
【０００９】
そこで、本発明の主たる課題は、ノンインパクトプリンタによる高速な印字・印刷に適した構造であるとともに、配送票とそれ以外の部分と照合作業が容易に行える伝票用シートを提供することにある。また、他の課題は、伝票用シートの限られた紙面を有効に活用して使用者に提供する情報量を増加させることにある。
【課題を解決するための手段】
【００１０】
上記課題を解決した本発明は次記のとおりである。
＜請求項１記載の発明＞
基材に対して上紙が貼合されている伝票用シートであって、
前記上紙は、輪郭切り取り補助線で囲まれる伝票片とその周縁に位置する余白部とを有し、
前記余白部は、少なくとも一部において基材に対して剥離不能に接着され
前記伝票片は、その一部に切り取り補助線で囲まれる分離票を有し、かつ、裏面の分離票を除く範囲の一部又は全部に粘着部を有し、
前記基材は、粘着部に対向する部分が上紙に対して剥離可能とされかつ伝票片に重なる位置に形成された裏面から表面まで到達する輪郭ハーフカット線により、他の部分から分離可能とされた分離領域を有し、
前記分離領域は、前記分離票とその外方位置とに重なる位置にあり、
伝票片をめくることにより、前記分離領域が伝票片側に貼付された状態で、伝票片裏面の粘着剤により被着体に貼付可能となり、かつ、分離票を切り取り補助線で切り離すと、分離領域が露出されることを特徴とする、ことを特徴とする伝票用シート。
【００１１】
【００１２】
＜請求項２記載の発明＞
分離領域の分離票に対面する部位に情報が印刷されている請求項１記載の伝票用シート。
【００１３】
＜請求項３記載の発明＞
分離票は、前記分離領域に対してその一部又は全部において、剥離可能に疑似接着されている請求項１記載の伝票用シート。
【００１４】
＜請求項４記載の発明＞
分離領域は、分離票よりも外方に位置する部位の少なくとも一部において、伝票片に対して剥離不能に接着している請求項１記載の伝票用シート。
【００１５】
＜請求項５記載の発明＞
前記余白部に、伝票片内の情報に対応する照合情報が配されている請求項１記載の伝票用シート。
【発明の効果】
【００１６】
本発明によれば、ノンインパクトプリンタによる高速な印字・印刷に適した構造であるとともに、配送票とそれ以外の部分と照合作業が容易に行え、しかも、使用者に提供する情報量を増やすことができる伝票用シートが提供される。
【図面の簡単な説明】
【００１７】
【図１】第１の実施形態の伝票用シートの平面図であるとともに、上紙の表面を示す図である。
【図２】第１の実施形態の伝票用シートの裏面図であるとともに、基材の裏面を示す図である。
【図３】図１のＡ−Ａ断面図である。
【図４】第１の実施の形態の他の例の伝票用シートの平面図である。
【図５】本発明の伝票用シートの使用方法を説明するための図である。
【図６】第２の実施の形態の伝票用シートを説明するための断面図である。
【図７】第３の実施の形態の伝票用シートの平面図である。
【図８】図７のＢ−Ｂ断面図である。  本発明の伝票用シートの使用方法を説明するための図である。
【発明を実施するための形態】
【００１８】
次いで、本発明の実施形態を図１〜８を参照しながら以下に詳述する。
『第１の実施の形態』
本形態の伝票用シートＸ１は、上紙１と基材２とを有する２層構造をなしている。
前記上紙１は、輪郭切り取り補助線Ｌ１で囲まれる矩形の伝票片１０とその周縁に位置する余白部１１とを有する。図１〜３に示す例では、伝票片１０を取り囲むように伝票片１０の全周縁外方に余白部１１が存在しているが必ずしもこの例に限らず、一部に余白部１１を有する形態であってもよい。すなわち、図４に示すように輪郭切り取り補助線Ｌ１の一部が伝票用シートＸ１の周縁を兼ねる態様であってもよい。
【００１９】
なお、輪郭切り取り補助線Ｌ１は、当該線に沿って切断されるように配した、ミシン目線、ジッパーミシン目線、ハーフスリット線などであり、最も好ましい輪郭切り取り補助線Ｌ１は、簡易に切断されるハーフスリット線である。なお、本例では、矩形に囲まれる伝票片の適宜の部のコーナーが小三角状にカットされた所謂コーナーカット５０が施されており、切り取り開始端として当該コーナーが摘みやすくなっている。
【００２０】
他方、前記余白部１１においても上紙１と基材とは接着部１２により粘着している。この余白部における上紙と基材とは剥離可能であっても、剥離不能であってもよい。但し、少なくとも一部において基材２に対して剥離不能に接着されているのがよい。余白部１１における接着部分１２を設ける場合には、伝票片１０を囲むようにあるのがよく、点在していてもよいし、線状に存在していてもよい。図示例のように余白部１１のほぼすべての部分が接着されている形態やすべての部分が接着されている形態もあり得る。
【００２１】
余白部１１において上紙１と基材２とを剥離不能に接着するにあたっては、既知の非剥離性接着剤や粘着剤を用いることができる。この接着剤等は、印刷技術、塗工技術により上紙裏面若しくは基材表面に配することができる。
【００２２】
他方、前記伝票片１０は、その一部に切り取り補助線Ｌ２で囲まれる分離票１０Ａを有する。ここでの切り取り補助線Ｌ２も、輪郭切り取り補助線Ｌ１と同様にミシン目線、ジッパーミシン目線、ハーフスリット線などが採用できるが、少なくとも輪郭切り取り補助線より切断し難いのが望ましく、好ましくはミシン目線、特に好ましくは一定方向のみに切断しやすいジッパーミシン目線である。
【００２３】
また、伝票片１０は、例えば、フレキソ印刷、オフセット印刷、グラビア印刷等の既知の印刷技術により枠欄や当該枠内に記載すべき情報を指定する表示等の不変情報を印刷することで、分離票１０Ａ部分が第１情報記入部を有する受領証とされ、その他の部分１０Ｂが同様の印刷技術によって、第２情報記入部を有する配送票とされる。なお、伝票片１０における分離票１０Ａ及びその他の部分１０Ｂにおける不変情報は適宜のものとされ、伝票片１０全体として伝票機能を有するように不変情報が印刷などにより形成されていればよく、本願発明においてその不変情報は限定されるものではない。
【００２４】
さらに、伝票片１０は、基材１に対面する裏面側における分離票１０Ａを除く範囲に粘着部１３を有している。この粘着部１３は、例えば、ホットメルト粘着剤、アクリル系粘着剤、天然ゴム系粘着剤、合成ゴム系粘着剤、シリコーン系粘着剤等の既知の粘着剤が層状、薄膜状、網目状に配されてなる部分であり、適宜の粘着力を有して、伝票用シートを配送品に貼付するためのものである。粘着部１３の層厚は、特に限定されない。通常は、１０〜５０μｍ、好ましくは２０〜３０μｍ程度である。１０μｍ以下だと粘着力が不足する恐れがあり、５０μｍ以上になると粘着剤が基材等からはみ出す恐れがある。なお、上記掲げた粘着剤のなかで最も好ましいのは乾燥性に優れるホットメルト粘着剤である。
【００２５】
他方、基材２は、少なくとも粘着部１３に対向する部分には離型処理されるなどしており、上紙１の伝票片１０は基材２に対して分離可能となっている（図中、離型処理部分を符号１４で示す）。ここで、分離可能とする離型処理としては、例えば、基材２の粘着部対向面をシリコーン、長鎖アルキルポリマー、ポリオレフィン、アルキド樹脂、フッ素化合物等の離型剤を層状、薄膜状、網目状に配するなどすればよい。このような離型剤を配するには、既知の印刷技術や塗工技術が採用できる。また、基材２を剥離紙とすることでも上紙１の伝票片１０を剥離可能とすることができる。
【００２６】
なお、本発明においては、上述の余白部１１において上紙１を基材２に対して剥離不能にするための接着剤等と粘着部１３を形成する接着剤等が同じものであってもよい。すなわち、余白部１１における接着部分１２と粘着部１３とは同一の粘着剤等による粘着剤層とされ、余白部１１に対面する基材裏面の全部又は適宜の部位を離型処理等しない非剥離性とした態様であってもよい。
【００２７】
他方、基材２には、裏面から表面まで到達する輪郭ハーフカット線Ｌ３により、他の部分から分離可能とされた分離領域２０を有する。そして、この分離領域２０は、前記分離票１０Ａとその周縁外方位置とに重なる位置にある。すなわち、分離領域２０の一部は、前記分離票１０Ａに対面する位置にあるとともに、その他の一部は粘着部１３と重なる位置にある。なお、分離領域は、分離票よりも大きい範囲であるのが望ましいが、必ずしも大きい必要はない。また、分離領域の少なくとも分離票対向面は離型処理しないのが望ましい。
【００２８】
ここで、分離領域２０は、分離票１０Ａよりも外方に位置する部位の少なくとも一部において、伝票片１０に対して剥離不能に接着されているのが望ましい。
なお、本形態では、基材２は、基本的には裏面に粘着部を有さないのが望ましい。
【００２９】
以上の構成をとることにより、本発明の伝票用シートＸ１では、図５（ａ）に示されるように、上紙１の伝票片１０内における分離票（受領証）１０Ａ及びその他の部分（配送票）１０Ｂにプリンタによって宛名などの必要な可変情報を印刷した後に、図５（ｂ）に示されるように、伝票片１０をめくることにより、輪郭切り取り補助線Ｌ１及び輪郭ハーフカット線Ｌ３が切断される。
【００３０】
このとき、基材２の分離領域２０の一部が分離票周縁外方と重なっているため、当該分離票は伝票片１０側に貼付された状態で、伝票片１０が他の部分から分離される。この状態においては、伝票片１０の裏面の粘着部１３が露出されるので被着体Ｄに貼付可能となる。
【００３１】
さらに、図５（ｃ）に示すように、伝票片１０を被着体Ｄに貼付した後に、図５（ｄ）に示すように、切り取り補助線Ｌ２で分離票１０Ａを切り離すと、基材２の一部であった分離領域２０が露出される。
【００３２】
ここで、本発明では、このように被着体Ｄに貼付した状態で分離票１０Ａを切り離した後に、基材２の一部である分離領域２０が露出される。
【００３３】
したがって、この分離領域２０には、不変情報を印刷などにより設けるのが望ましい。この不変情報としては、例えば、配達者の連絡先や、商品広告、クーポン券情報など適宜の情報とすることができる。本発明では、この情報の種類については限定されない。なお。不変情報の形成は、既知の印刷技術によることができる。
【００３４】
なお、図示はしないが、分離領域にクーポン券情報を配する場合などにおいては、好ましく分離領域の当該クーポン券情報部分を切り取り可能とする切り取り補助線を設けるのが望ましい。この場合の切り取り補助線は、ミシン目線、中でもジッパーミシン目線が望ましい。
【００３５】
『第２の実施の形態』
次いで、第２に実施の形態の伝票用シートＸ２について、図６を参照しながら説明する。本形態の伝票用シートＸ２は、伝票片１０における分離票１０Ａが、基材２の分離領域２０に対して、その一部又は全部において、剥離可能に疑似接着されている例である。なお、第１の実施の形態Ｘ１と同様である構造及び使用方法については説明が重複するため省略する。また、本形態は平面図及び裏面図は第１の実施の形態と同様であるのでこれも省略する。
【００３６】
第１の実施の形態Ｘ１では、分離票１０Ａと分離領域２０とは非接着の状態であり、実質的に分離票１０が基材２から浮いた状態となる。本第２の形態Ｘ２では、図６に断面図（断面位置は図１のA-A部位と同様）示すように、分離票１０Ａと基材２の分離領域２０とが疑似接着されている。
【００３７】
図示例では、分離票１０Ａと基材２の分離領域２０との間に疑似接着剤層１５が形成され、分離票１０Ａの分離時にこの疑似背着剤層１５が層間剥離するように構成され、剥離可能かつ再接着不能に疑似接着している。なお。疑似接着剤の種類あるいは擬似接着の方法は本発明では特に限定されない。圧着により一時的に接着し、剥離後に再接着しなくなる圧着接着剤を用いてもよい。さらに、これに限定されず、この分離領域と伝票片との間に剥離可能に一時的に接着し、剥離後に再接着しないように構成した既知の接着構造、例えば糊殺しを採用することができる。
【００３８】
本例Ｘ２では、伝票片１０が被着体に貼付され、分離票１０Ａが剥離されるまで基材２の分離領域２０と当該分離票１０Ａとが一体的であるため、意図せず分離票１０Ａが分離してしまう事故がより防止される。
【００３９】
『第３の実施の形態』
次いで、第３の実施の形態の伝票用シートＸ３を図７及び８を参照しながら説明する。
第１の実施の形態Ｘ１及び第２の実施の形態Ｘ２は、実質的に上紙１と基材２とが同一の大きさとされており、プリンタの搬送性において好適であるが、本発明はこのような形態に限られない。例えば、上紙１、基材２の何れかが一方より大きい形態であってもよい。
【００４０】
この形態を第３の実施の形態の伝票用シートＸ３として説明する。なお、第１の実施の形態Ｘ１及び第２の実施の形態Ｘ２と同様又は重複して適用される構造及び使用方法については説明を省略する。
【００４１】
本形態Ｘ３は、例えば、図７及び図８に示すように、上紙１が基材２より大きくされて、余白部１１が広くされている。そして、この余白部１１に、伝票片１０Ａに対応する照合情報１０Ｃが印刷されている。
【００４２】
本形態Ｘ３では、この照合情報１０Ｃを含む余白部１１の一部が切り取り補助線Ｌ４によって分離可能となっている。照合情報１０Ｃは、例えば、伝票片１０に配した受領証１０Ａや配送票１０Ｂを構成するための不変情報に対応する情報であり、例えば発送者控えなどが挙げられる。この照合情報１０Ｃもまた、既知の印刷技術によって、枠欄などを印刷することで形成することができる。この本形態では、発送者控えを容易にとることができる利点がある。
【産業上の利用可能性】
【００４３】
本発明は、配送品に貼付して用いる伝票用シートに利用可能できる。
【符号の説明】
【００４４】
１…上紙、２…基材、２０…分離領域、１０…伝票片、１０Ａ…分離票（受領証）、１０Ｂ…伝票片の分離票以外の部分（配送票）、１０Ｃ…照合情報部、１１…余白部、１２…接着部分、１３…粘着部、１４…離型処理部分、１５…疑似接着剤層、５０…コーナーカット、Ｌ１…輪郭切り取り補助線、Ｌ２，Ｌ４，Ｌ５…切り取り補助線、Ｌ３…輪郭ハーフカット線、Ｄ…被着体、Ｘ１〜Ｘ３…伝票用シート。
【手続補正２】
【補正対象書類名】特許請求の範囲
【補正対象項目名】全文
【補正方法】変更
【補正の内容】
【特許請求の範囲】
【請求項１】
基材に対して上紙が貼合されている伝票用シートであって、
前記上紙は、輪郭切り取り補助線で囲まれる伝票片とその周縁に位置する余白部とを有し、
前記余白部は、少なくとも一部において基材に対して剥離不能に接着され
前記伝票片は、その一部に切り取り補助線で囲まれる分離票を有し、かつ、裏面の分離票を除く範囲の一部又は全部に粘着部を有し、
前記基材は、粘着部に対向する部分が上紙に対して剥離可能とされかつ伝票片に重なる位置に形成された裏面から表面まで到達する輪郭ハーフカット線により、他の部分から分離可能とされた分離領域を有し、
前記分離領域は、前記分離票とその外方位置とに重なる位置にあり、
伝票片をめくることにより、前記分離領域が伝票片側に貼付された状態で、伝票片裏面の粘着剤により被着体に貼付可能となり、かつ、分離票を切り取り補助線で切り離すと、分離領域が露出されることを特徴とする、ことを特徴とする伝票用シート。
【請求項２】
分離領域の分離票に対面する部位に情報が印刷されている請求項１記載の伝票用シート。
【請求項３】
分離票は、前記分離領域に対してその一部又は全部において、剥離可能に疑似接着されている請求項１記載の伝票用シート。
【請求項４】
分離領域は、分離票よりも外方に位置する部位の少なくとも一部において、伝票片に対して剥離不能に接着している請求項１記載の伝票用シート。
【請求項５】
前記余白部に、伝票片内の情報に対応する照合情報が配されている請求項１記載の伝票用シート。